(57)【要約】【課題】現在位置に基づいて、ユーザに提示する情報を適切に決定する。【解決手段】現在位置検出部１１は、現在位置を検出する。注目地域決定部１２は、検出された現在位置を基準とする注目地域を決定する。地図表示部１３は、決定された注目地域を表す地図を画面内に表示する。データ取得部１４は、決定された注目地域に存在する注目対象に関連付けられるデータを取得する。情報提示部１５は、取得されたデータに基づく情報をユーザに提示する。【選択図】図４
2013032914.tif 000002
【特許請求の範囲】
【請求項１】
自装置の現在位置を検出する現在位置検出部と、
前記検出された現在位置を基準とする地域を決定する地域決定部と、
前記決定された地域を表す地図を画面内に表示する地図表示部と、
前記決定された地域に存在し、前記自装置と対応する対象に関連付けられるデータを取得するデータ取得部と、
前記取得されたデータに基づく情報をユーザに提示する情報提示部と、
を備えることを特徴とする情報提示装置。
【請求項２】
前記データ取得部は、前記地域内に存在する特定の通信装置に関連付けられるデータをサーバから取得する、
ことを特徴とする請求項１に記載の情報提示装置。
【請求項３】
前記データ取得部は、前記地域内に存在する特定の通信装置から前記サーバにアップロードされたデータを取得する、
ことを特徴とする請求項２に記載の情報提示装置。
【請求項４】
前記データ取得部は、前記地域内に存在する特定の通信装置が提示している情報を表すデータを、前記サーバから取得する、
ことを特徴とする請求項２に記載の情報提示装置。
【請求項５】
前記データ取得部は、前記地域内に存在する特定のランドマークに関連付けられるデータを取得する、
ことを特徴とする請求項１に記載の情報提示装置。
【請求項６】
現在時刻を取得する現在時刻取得部をさらに備え、
前記データ取得部は、前記対象に関連付けられるデータのうち、前記取得された現在時刻に関連付けられるデータを取得する、
ことを特徴とする請求項１乃至５のいずれか１項に記載の情報提示装置。
【請求項７】
地域を示す情報を情報提示装置から受信する受信部と、
前記受信された情報により示される地域内に存在する対象に関連付けられるデータを取得する取得部と、
前記取得されたデータを前記情報提示装置に送信する送信部と、
を備えることを特徴とするサーバ。
【請求項８】
自装置の現在位置を検出する現在位置検出ステップと、
前記検出された現在位置を基準とする地域を決定する地域決定ステップと、
前記決定された地域を表す地図を画面内に表示する地図表示ステップと、
前記決定された地域に存在し、前記自装置と対応する対象に関連付けられるデータを取得するデータ取得ステップと、
前記取得されたデータに基づく情報をユーザに提示する情報提示ステップと、
を含むことを特徴とする情報提示方法。
【請求項９】
コンピュータを、
自装置の現在位置を検出する現在位置検出部、
前記検出された現在位置を基準とする地域を決定する地域決定部、
前記決定された地域に存在し、前記自装置と対応する対象に関連付けられるデータを取得するデータ取得部、
前記取得されたデータに基づく情報をユーザに提示する情報提示部、
として機能させることを特徴とするプログラム。
【発明の詳細な説明】
【技術分野】
【０００１】
本発明は、情報提示装置、サーバ、情報提示方法、及び、プログラムに関する。
【背景技術】
【０００２】
現在、車両周辺の地図、車両の現在位置、目的地、現在位置から目的地までの経路などの情報のほか、種々の情報をユーザに提示するカーナビゲーション装置が知られている。ユーザに提示される情報は、例えば、インターネットに接続されたデータベースサーバに記憶されている情報である。この場合、カーナビゲーション装置は、例えば、インターネットに接続可能な配信装置にアクセスして、当該配信サーバから情報を取得する。
【０００３】
ここで、ユーザに提示される情報は、ユーザにとって有益な情報であることが望まれる。かかる要望に応えるためには、例えば、配信装置は、データベースサーバに記憶されている莫大な量の情報のうち、所定の条件に適合する情報を抽出し、抽出した情報をカーナビゲーション装置に送信する。この条件は、車両の現在位置や進行方向などであってもよい。例えば、特許文献１には、車両の現在位置から目的地までの経路に基づいて、ユーザに提示される画像情報が選択される配信装置などが開示されている。
【先行技術文献】
【特許文献】
【０００４】
【特許文献１】特開２００３−２０２２３５号公報
【発明の概要】
【発明が解決しようとする課題】
【０００５】
しかしながら、ユーザが関心を持つ情報は、経路に基づいて抽出される情報だけではない。また、経路に基づいて抽出される情報は、下調べによりユーザにとって既知の情報となっている場合も少なくない。このため、ユーザが関心を持ちそうな情報であって、現在位置などを考慮して抽出された情報を、ユーザに提示したいという要望がある。
【０００６】
本発明は、このような状況に鑑みてなされたものであり、現在位置に基づいて、ユーザに提示する情報を適切に決定するのに好適な情報提示装置、サーバ、情報提示方法、及び、プログラムを提供することを目的とする。
【課題を解決するための手段】
【０００７】
上記目的を達成するために、本発明の第１の観点に係る情報提示装置は、
自装置の現在位置を検出する現在位置検出部と、
前記検出された現在位置を基準とする地域を決定する地域決定部と、
前記決定された地域を表す地図を画面内に表示する地図表示部と、
前記決定された地域に存在し、前記自装置と対応する対象に関連付けられるデータを取得するデータ取得部と、
前記取得されたデータに基づく情報をユーザに提示する情報提示部と、
を備えることを特徴とする。
【０００８】
前記データ取得部は、前記地域内に存在する特定の通信装置に関連付けられるデータをサーバから取得してもよい。
【０００９】
前記データ取得部は、前記地域内に存在する特定の通信装置から前記サーバにアップロードされたデータを取得してもよい。
【００１０】
前記データ取得部は、前記地域内に存在する特定の通信装置が提示している情報を表すデータを、前記サーバから取得してもよい。
【００１１】
前記データ取得部は、前記地域内に存在する特定のランドマークに関連付けられるデータを取得してもよい。
【００１２】
現在時刻を取得する現在時刻取得部をさらに備え、
前記データ取得部は、前記対象に関連付けられるデータのうち、前記取得された現在時刻に関連付けられるデータを取得してもよい。
【００１３】
上記目的を達成するために、本発明の第２の観点に係るサーバは、
地域を示す情報を情報提示装置から受信する受信部と、
前記受信された情報により示される地域内に存在する対象に関連付けられるデータを取得する取得部と、
前記取得されたデータを前記情報提示装置に送信する送信部と、
を備えることを特徴とする。
【００１４】
上記目的を達成するために、本発明の第３の観点に係る情報提示方法は、
自装置の現在位置を検出する現在位置検出ステップと、
前記検出された現在位置を基準とする地域を決定する地域決定ステップと、
前記決定された地域を表す地図を画面内に表示する地図表示ステップと、
前記決定された地域に存在し、前記自装置と対応する対象に関連付けられるデータを取得するデータ取得ステップと、
前記取得されたデータに基づく情報をユーザに提示する情報提示ステップと、
を含むことを特徴とする。
【００１５】
上記目的を達成するために、本発明の第４の観点に係るプログラムは、
コンピュータを、
自装置の現在位置を検出する現在位置検出部、
前記検出された現在位置を基準とする地域を決定する地域決定部、
前記決定された地域に存在し、前記自装置と対応する対象に関連付けられるデータを取得するデータ取得部、
前記取得されたデータに基づく情報をユーザに提示する情報提示部、
として機能させることを特徴とする。
【発明の効果】
【００１６】
本発明によれば、現在位置に基づいて、ユーザに提示する情報を適切に決定することができる。
【図面の簡単な説明】
【００１７】
【図１】本発明の第１の実施形態に係る情報提示システムの構成を示すブロック図である。
【図２】本発明の第１の実施形態に係る情報提示装置の構成を示すブロック図である。
【図３】本発明の第１の実施形態に係るデータ取得サーバの構成を示すブロック図である。
【図４】本発明の第１の実施形態に係る情報提示装置の機能を説明するための図である。
【図５】本発明の第１の実施形態に係るデータ取得サーバの機能を説明するための図である。
【図６】本発明の第１の実施形態に係る情報提示装置が実行する情報提示処理を示すフローチャートである。
【図７】本発明の第１の実施形態に係るデータ取得サーバが実行するデータ取得処理を示すフローチャートである。
【図８】注目地域を表す地図を示す画像が画面内に表示されている様子を示す図である。
【図９】特定の通信装置に関連する情報がユーザに提示されている様子を示す図である。
【図１０】特定のランドマークに関連する情報がユーザに提示されている様子を示す図である。
【図１１】注目地域を表す地図を示す画像と注目対象に関連付けられるデータに基づく画像とが分離して表示されている様子を示す図である。
【図１２】注目対象に関連付けられるデータに基づく複数の画像が時分割で交互に表示されている様子を示す図である。
【図１３】注目地域を表す地図を示す画像と、注目対象に関連付けられるデータに基づく複数の画像の組と、が時分割で交互に表示されている様子を示す図である。
【発明を実施するための形態】
【００１８】
以下、図面を参照して、本発明の実施形態に係る情報提示装置について説明する。
【００１９】
（第１の実施形態）
まず、図１を参照して、本実施形態に係る情報提示システム１０００の構成について説明する。なお、本発明が適用される情報提示システムは、図１に示す情報提示システム１０００に限られない。例えば、情報提示システム１０００に種々の装置が組み込まれたシステムに本発明が適用されてもよいし、情報提示システム１０００から適宜、装置が除外されたシステムに本発明が適用されてもよい。また、情報提示システム１０００が備える装置の個数は、図１に示す例に限られない。
【００２０】
図１に示すように、情報提示システム１０００は、情報提示装置１００、通信装置１５０、通信装置１６０、基地局２１０、基地局２２０、データ取得サーバ３００、データベースサーバ４００、電気通信網５００を備える。
【００２１】
情報提示装置１００は、ユーザに種々の情報を提示する装置である。情報提示装置１００は、基地局２１０を介してデータ取得サーバ３００と通信する。なお、情報提示装置１００と基地局２１０とは、例えば、無線通信により接続される。一方、基地局２１０とデータ取得サーバ３００とは、例えば、電気通信網５００を介した有線通信により接続される。
【００２２】
情報提示装置１００は、典型的には、車両に搭載されるカーナビゲーション装置である。なお、情報提示装置１００は、ナビゲーション機能を備えた通信端末装置（例えば、携帯電話、ＰＤＡ（Personal Digital Assistant）、ノートパソコン）であってもよい。
【００２３】
通信装置１５０は、情報提示装置１００のユーザとは異なるユーザにより使用される装置である。通信装置１５０は、基地局２１０を介してデータ取得サーバ３００と通信する。なお、通信装置１５０と基地局２１０とは、例えば、無線通信により接続される。通信装置１５０は、情報提示装置１００と同様の構成であってもよい。通信装置１５０は、典型的には、車両に搭載されるカーナビゲーション装置である。
【００２４】
通信装置１６０は、情報提示装置１００のユーザとは異なるユーザにより使用される装置である。通信装置１６０は、基地局２２０を介してデータ取得サーバ３００と通信する。なお、通信装置１６０と基地局２２０とは、例えば、無線通信により接続される。通信装置１６０は、情報提示装置１００と同様の構成であってもよい。通信装置１６０は、典型的には、車両に搭載されるカーナビゲーション装置である。
【００２５】
基地局２１０は、情報提示装置１００や通信装置１５０を、データ取得サーバ３００やデータベースサーバ４００と接続する機能を有する。基地局２２０は、通信装置１６０を、データ取得サーバ３００やデータベースサーバ４００と接続する機能を有する。
【００２６】
データ取得サーバ３００は、情報提示装置１００から要求されたデータをデータベースサーバ４００から取得し、取得したデータを情報提示装置１００に供給する。データ取得サーバ３００は、電気通信網５００を介して、基地局２１０、基地局２２０ならびにデータベースサーバ４００と通信する。
【００２７】
データベースサーバ４００は、画像データベース、音声データベース、文字列データベース、地図データベース、対応関係データベースなどのデータベースを備えるサーバである。データベースサーバ４００は、データ取得サーバ３００から要求されたデータを、データベースから検索および抽出して、データ取得サーバ３００に供給する。
【００２８】
画像データベースは、画像データ（動画データ、静止画データ）から構成されるデータベースである。音声データベースは、音声データから構成されるデータベースである。文字列データベースは、文字列データから構成されるデータベースである。地図データベースは、地図データから構成されるデータベースである。対応関係データベースは、対応関係データから構成されるデータベースである。
【００２９】
対応関係データは、通信機器同士の対応関係を示すデータである。通信機器は、例えば、情報提示装置１００、通信装置１５０、通信装置１６０である。対応関係データは、例えば、情報提示装置１００と通信装置１５０とが対応するか否かを示すデータ、ならびに、情報提示装置１００と通信装置１６０とが対応するか否かを示すデータを含むことができる。なお、通信機器同士が対応することは、例えば、通信機器のユーザ同士が知り合い関係にあることを意味する。つまり、情報提示装置１００と通信装置１５０とが対応することは、情報提示装置１００のユーザと通信装置１５０のユーザとが知り合い同士であることを意味し、情報提示装置１００と通信装置１６０とが対応することは、情報提示装置１００のユーザと通信装置１６０のユーザとが知り合い同士であることを意味する。
【００３０】
データ取得サーバ３００及びデータベースサーバ４００は別々のサーバとして説明したが、データ取得サーバ３００及びデータベースサーバ４００が同一サーバであっても良い。
【００３１】
電気通信網５００は、インターネットなどの通信網である。電気通信網５００は、基地局２１０と、基地局２２０と、データ取得サーバ３００と、データベースサーバ４００とを相互に通信可能に接続する。
【００３２】
次に、図２を参照して、情報提示装置１００の物理的な構成について説明する。図２に示すように情報提示装置１００は、ＣＰＵ（Central Processing Unit）１０１、ＲＯＭ（Read Only Memory）１０２、ＲＡＭ（Random Access Memory）１０３、ＧＰＳ（Global Positioning System）モジュール１０４、アンテナ１０５、無線通信部１０６、音声処理部１０７、スピーカ１０８、マイクロフォン１０９、操作部１１０、ハードディスク１１１、画像処理部１１２、タッチ操作検知部１１３、タッチスクリーン１１４、ＲＴＣ（Real Time Clock）１１５、を備える。情報提示装置１００が備えるこれらの構成要素は、バス１２０により相互に接続される。
【００３３】
ＣＰＵ１０１は、情報提示装置１００の全体の動作を制御する。なお、ＣＰＵ１０１は、ＲＯＭ１０２に格納されているプログラムに従って動作し、ＲＡＭ１０３をワークエリアとして使用する。
【００３４】
ＲＯＭ１０２には、情報提示装置１００の全体の動作を制御するためのプログラムやデータが記憶される。
【００３５】
ＲＡＭ１０３は、ＣＰＵ１０１のワークエリアとして機能する。つまり、ＣＰＵ１０１は、ＲＡＭ１０３にプログラムやデータを一時的に書き込み、これらのプログラムやデータを適宜参照する。
【００３６】
ＧＰＳモジュール１０４は、アンテナ１０５により受信されたＧＰＳ電波を電気信号に変換し、ＣＰＵ１０１に供給する。従って、ＣＰＵ１０１は、ＧＰＳモジュール１０４を制御して、情報提示装置１００の現在位置を取得できる。現在位置は、例えば、緯度と経度とを用いて表現される。
【００３７】
アンテナ１０５は、複数のＧＰＳ衛星から送信されたＧＰＳ電波を受信する。
【００３８】
無線通信部１０６は、情報提示装置１００と基地局２１０とを無線通信により接続するためのインターフェースである。
【００３９】
音声処理部１０７は、ＣＰＵ１０１から供給されたディジタルオーディオ信号をＤ／Ａ（Digital/Analog）コンバータ（図示せず）でアナログオーディオ信号に変換して、スピーカ１０８に出力する。また、音声処理部１０７は、マイクロフォン１０９から供給されたアナログオーディオ信号をＡ／Ｄ（Analog/Digital）コンバータ（図示せず）でディジタルオーディオ信号に変換して、ＣＰＵ１０１に供給する。ＣＰＵ１０１に供給されたディジタルオーディオ信号は、公知の音声認識技術により音声認識処理が行われる。これにより、ユーザは、ナビゲーション等の音声を聞いたり、情報提示装置１００に向かって発声することにより、当該情報提示装置１００に対して、種々の指示を与えることができる。
【００４０】
スピーカ１０８は、音声処理部１０７から供給されたアナログオーディオ信号を音声に変換して、出力する。
【００４１】
マイクロフォン１０９は、音声をアナログオーディオ信号に変換して、音声処理部１０７に供給する。
【００４２】
操作部１１０は、ボタン、キー、レバー、ボリュームスイッチなどを備える。操作部１１０は、ボタン、キー、レバー、ボリュームスイッチなどにより受け付けられた操作に基づいて、当該操作に基づく信号を生成し、ＣＰＵ１０１に供給する。
【００４３】
ハードディスク１１１には、地図情報や各種の設定情報などが記憶される。情報提示装置１００は、ハードディスク１１１に代えて、地図情報などが記憶されているＤＶＤ−ＲＯＭ（Digital Versatile Disk-Read Only Memory）が装着されるＤＶＤドライブを備えていても良い。
【００４４】
画像処理部１１２は、ＣＰＵ１０１による制御のもと、タッチスクリーン１１４に表示させる画像を生成する。画像処理部１１２は、生成された画像をタッチスクリーン１１４に供給する。
【００４５】
タッチ操作検知部１１３は、タッチスクリーン１１４に対してなされたタッチ操作を検知し、検知結果をＣＰＵ１０１に供給する。なお、検知結果は、例えば、ユーザによりタッチされているタッチスクリーン１１４上における座標情報である。
【００４６】
タッチスクリーン１１４は、画像処理部１１２から供給された画像を表示するとともに、ユーザによるタッチ操作を受け付ける。タッチスクリーン１１４は、例えば、ＬＣＤ（Liquid Crystal Display）などの表示装置と、タッチパッドのような位置入力装置と、を備える。
【００４７】
ＲＴＣ１１５は、水晶振動子や発振回路などを備える計時用のデバイスである。ＲＴＣ１１５は、内蔵電池から電源を供給され、情報提示装置１００の電源がオフのときでも動作し続ける。
【００４８】
次に、図３を参照して、データ取得サーバ３００の物理的な構成について説明する。図３に示すように、データ取得サーバ３００は、ＣＰＵ３０１、ＲＯＭ３０２、ＲＡＭ３０３、ＮＩＣ（Network Interface Card）３０４、ハードディスク３０５、を備える。データ取得サーバ３００が備えるこれらの構成要素は、バス３２０により相互に接続される。
【００４９】
ＣＰＵ３０１は、データ取得サーバ３００の全体の動作を制御する。なお、ＣＰＵ３０１は、ＲＯＭ３０２に格納されているプログラムに従って動作し、ＲＡＭ３０３をワークエリアとして使用する。
【００５０】
ＲＯＭ３０２には、データ取得サーバ３００の全体の動作を制御するためのプログラムやデータが記憶される。
【００５１】
ＲＡＭ３０３は、ＣＰＵ３０１のワークエリアとして機能する。つまり、ＣＰＵ３０１は、ＲＡＭ３０３にプログラムやデータを一時的に書き込み、これらのプログラムやデータを適宜参照する。
【００５２】
ＮＩＣ３０４は、データ取得サーバ３００を電気通信網５００に接続するためのインターフェースである。ＮＩＣ３０４は、例えば、ＬＡＮ（Local Area Network）を構成する際に用いられる１０ＢＡＳＥ−Ｔ／１００ＢＡＳＥ−Ｔ規格に従うインターフェース（図示せず）により構成される。あるいは、ＮＩＣ３０４は、電話回線を用いて電気通信網５００に接続するためのアナログモデム、ＩＳＤＮ（Integrated Services Digital Network）モデム、ＡＤＳＬ（Asymmetric Digital Subscriber Line Modem）モデム、ケーブルテレビジョン回線を用いて電気通信網５００に接続するためのケーブルモデム等と、ＣＰＵ３０１との仲立ちを行うインターフェース（図示せず）により構成される。
【００５３】
ハードディスク３０５には、データベースサーバ４００から取得された画像データや音声データが記憶される。なお、ハードディスク３０５に、ハードディスク１１１に記憶されている地図情報と同様の地図情報が記憶されていてもよい。
【００５４】
データベースサーバ４００は、物理的には、図３に示すデータ取得サーバ３００と同様の構成である。ただし、データベースサーバ４００が備えるハードディスクにより、各種のデータベースが構成される。
【００５５】
次に、図４を参照して、本実施形態に係る情報提示装置１００の基本的な機能について説明する。図４に示すように、情報提示装置１００は、機能的には、現在位置検出部１１、注目地域決定部１２、地図表示部１３、データ取得部１４、情報提示部１５、現在時刻取得部１６を備える。
【００５６】
現在位置検出部１１は、情報提示装置１００の現在位置を検出する。現在位置検出部１１は、例えば、ＧＰＳモジュール１０４とアンテナ１０５とにより構成される。
【００５７】
注目地域決定部１２は、検出された現在位置を基準とする注目地域を決定する。注目地域は、例えば、現在位置を含む所定の大きさの地域であり、情報提示装置１００が搭載された車両が存在する場所の周辺の地域である。注目地域は、ハードディスク１１１に記憶されている地図情報により表される地図から抽出される部分地図に対応する地域である。典型的には、検出された現在位置を中心とした所定の大きさの地域が注目地域として決定される。なお、注目地域は、車両の進行方向が考慮されて決定されてもよい。なお、車両の進行方向は、例えば、現在位置検出部１１が、一定時間毎に現在位置を検出することにより取得可能である。注目地域決定部１２は、例えば、ＣＰＵ１０１により構成される。
【００５８】
地図表示部１３は、決定された注目地域を表す地図を画面内に表示する。具体的には、地図表示部１３は、ハードディスク１１１に記憶されている地図情報により表される地図から、決定された注目地域に対応する部分を抽出し、抽出された地図を画面内に表示する。地図表示部１３は、例えば、ＣＰＵ１０１と画像処理部１１２とにより構成される。なお、地図が表示される画面は、例えば、タッチスクリーン１１４が備える画面である。
【００５９】
データ取得部１４は、決定された注目地域に存在する注目対象に関連付けられるデータを取得する。注目対象は、例えば、特定の通信装置や特定のランドマークである。注目対象に関連付けられるデータは、例えば、注目対象を検索キーとして画像データベースを検索したときに抽出される画像データや、注目対象を検索キーとして音声データベースを検索したときに抽出される音声データや、注目対象を検索キーとして文字列データベースを検索したときに抽出される文字列データである。本実施形態では、注目対象が特定の通信装置である例について説明する。データ取得部１４は、例えば、ＣＰＵ１０１と無線通信部１０６とにより構成される。
【００６０】
情報提示部１５は、取得されたデータに基づく情報をユーザに提示する。情報提示部１５は、例えば、取得された画像データに基づく画像を画面内に表示したり、取得された音声データに基づく音声を出力したり、取得された文字列データに基づく文字列を画面内に表示したりする。情報提示部１５は、ＣＰＵ１０１と画像処理部１１２とにより構成されてもよいし、ＣＰＵ１０１と音声処理部１０７とにより構成されてもよい。
【００６１】
現在時刻取得部１６は、現在時刻を取得する。現在時刻取得部１６は、例えば、ＲＴＣ１１５により構成される。
【００６２】
次に、図５を参照して、本実施形態に係るデータ取得サーバ３００の基本的な機能について説明する。図５に示すように、データ取得サーバ３００は、機能的には、受信部３１、取得部３２、送信部３３を備える。
【００６３】
受信部３１は、注目地域を示す情報を情報提示装置１００から受信する。注目地域を示す情報は、例えば、注目地域が矩形である場合、注目地域の四隅の緯度および経度を示す情報である。なお、受信部３１は、注目地域を示す情報の送信先である情報提示装置１００を特定する情報を受信してもよい。受信部３１は、例えば、ＮＩＣ３０４により構成される。
【００６４】
取得部３２は、受信された情報により示される注目地域内に存在する注目対象に関連付けられるデータを取得する。注目対象は、例えば、特定の通信装置や特定のランドマークである。注目対象に関連付けられるデータは、例えば、注目対象を検索キーとして画像データベースを検索したときに抽出される画像データや、注目対象を検索キーとして音声データベースを検索したときに抽出される音声データや、注目対象を検索キーとして文字列データベースを検索したときに抽出される文字列データである。本実施形態では、注目対象が特定の通信装置である例について説明する。
【００６５】
特定の通信装置は、例えば、情報提示装置１００に対応付けられている通信装置である。通信装置が情報提示装置１００に対応付けられているか否かを判別する手法は任意である。例えば、取得部３２は、データベースサーバ４００が備える対応関係データベースにアクセスすることにより、情報提示装置１００と通信装置１５０とが対応付けられているか否か、ならびに、情報提示装置１００と通信装置１６０とが対応付けられているか否かを取得することができる。
【００６６】
また、上述した特定の通信装置が、注目地域内に存在するか否かを判別する手法は任意である。例えば、取得部３２は、基地局２１０にアクセスして取得される通信装置１５０の現在位置（緯度および経度）が注目地域内に含まれる場合、通信装置１５０が注目地域内に存在すると判別することができる。また、取得部３２は、基地局２２０にアクセスして取得される通信装置１６０の現在位置（緯度および経度）が注目地域内に含まれる場合、通信装置１６０が注目地域内に存在すると判別することができる。
【００６７】
さらに、データが、上述した特定の通信装置に関連付けられているか否かを判別する手法は任意である。例えば、取得部３２は、特定の通信装置を検索キーとして、データベースサーバ４００にデータベースを検索させることにより、特定の通信装置に関連付けられているデータを取得することができる。つまり、特定の通信装置を検索キーとして画像データベースが検索されると通信装置に関連付けられている画像データが抽出され、音声データベースが検索されると通信装置に関連付けられている音声データが抽出され、文字列データベースが検索されると通信装置に関連付けられている文字列データが抽出される。
【００６８】
なお、例えば、ある通信装置によりデータベースに登録（アップロード）されたデータは、当該通信装置に関連付けられているデータとなる。取得部３２は、例えば、ＣＰＵ３０１とＮＩＣ３０４とにより構成される。
【００６９】
送信部３３は、取得されたデータを情報提示装置１００に送信する。送信部３３は、例えば、ＮＩＣ３０４により構成される。
【００７０】
次に、図６に示すフローチャートを参照して、本実施形態に係る情報提示装置１００が実行する情報提示処理について説明する。なお、情報提示装置１００は、電源が投入されている間、情報提示処理を実行する。
【００７１】
まず、ＣＰＵ１０１は、現在位置を検出する（ステップＳ１０１）。具体的には、ＣＰＵ１０１は、ＧＰＳモジュール１０４を制御して、情報提示装置１００が現在存在する場所の緯度および経度を示す情報を取得する。
【００７２】
ＣＰＵ１０１は、ステップＳ１０１の処理を完了すると、注目地域を決定する（ステップＳ１０２）。例えば、ＣＰＵ１０１は、ステップＳ１０１において検出された現在位置を含む所定の大きさの注目地域を決定する。
【００７３】
ＣＰＵ１０１は、ステップＳ１０２の処理を完了すると、注目地域を表す地図を画面内に表示する（ステップＳ１０３）。具体的には、まず、ＣＰＵ１０１は、ハードディスク１１１に記憶されている地図情報により示される地図から、ステップＳ１０２おいて決定された注目地域を表す地図を抽出する。そして、ＣＰＵ１０１は、画像処理部１１２を制御して、抽出された地図を示す画像信号を生成し、生成された画像信号をタッチスクリーン１１４に供給する。一方、タッチスクリーン１１４は、画像処理部１１２から供給された画像信号に基づいた画像を表示する。
【００７４】
ＣＰＵ１０１は、ステップＳ１０３の処理を完了すると、ステップＳ１０２において決定された注目地域を示す情報（以下、適宜「注目地域情報」という。）をデータ取得サーバ３００に送信する（ステップＳ１０４）。なお、ＣＰＵ１０１は、無線通信部１０６を制御して、基地局２１０を介して、データ取得サーバ３００に、注目地域情報を送信する。一方、データ取得サーバ３００は、情報提示装置１００から注目地域情報が供給されると、図７のフローチャートに示すデータ取得処理によりデータを取得し、取得されたデータを情報提示装置１００に供給する。
【００７５】
以下、図７に示すフローチャートを参照して、データ取得サーバ３００が実行するデータ取得処理について説明する。なおデータ取得サーバ３００は、電源が投入されている間、データ取得処理を実行する。
【００７６】
まず、ＣＰＵ３０１は、情報提示装置１００から注目地域情報を受信したか否かを判別する（ステップＳ２０１）。具体的には、ＣＰＵ３０１は、ＮＩＣ３０４を監視し、注目地域情報が受信されたか否かを判別する。
【００７７】
ＣＰＵ３０１は、情報提示装置１００から注目地域情報を受信していないと判別すると（ステップＳ２０１：ＮＯ）、ステップＳ２０１に処理を戻す。つまり、ＣＰＵ３０１は、情報提示装置１００から注目地域情報を受信していないと判別している間、注目地域情報の受信待ちのため待機する。
【００７８】
一方、ＣＰＵ３０１は、情報提示装置１００から注目地域情報を受信したと判別すると（ステップＳ２０１：ＹＥＳ）、注目地域に存在する注目対象に関連付けられているデータをデータベースサーバ４００から取得する（ステップＳ２０２）。
【００７９】
本実施形態では、注目対象は、情報提示装置１００に対応付けられた通信装置である。従って、まず、ＣＰＵ３０１は、データベースサーバ４００に、情報提示装置１００を検索キーとして対応関係データベースを検索させて、情報提示装置１００に対応付けられた通信装置を特定する。そして、ＣＰＵ３０１は、基地局２１０や基地局２２０にアクセスして、特定された通信装置の現在位置を取得し、特定された通信装置が注目地域内に存在しているか否かを判別する。ここで、ＣＰＵ３０１は、データベースサーバ４００に、情報提示装置１００に対応付けられ注目地域内に存在していると判別された通信装置を検索キーとして画像データベース、音声データベースならびに文字列データベースを検索させて、当該特定された通信装置に関連付けられている、画像データ、音声データならびに文字列データを取得する。なお、ＣＰＵ３０１は、ＮＩＣ３０４を制御して、データベース４００、基地局２１０ならびに基地局２２０と通信する。
【００８０】
ＣＰＵ３０１は、ステップＳ２０２の処理を完了すると、取得されたデータを情報提示装置１００に送信する（ステップＳ２０３）。具体的には、ＣＰＵ３０１は、ＮＩＣ３０４を制御して、ステップＳ２０２において取得されたデータを、情報提示装置１００に送信する。ＣＰＵ３０１は、ステップＳ２０３の処理を完了すると、ステップＳ２０１に処理を戻す。
【００８１】
一方、ＣＰＵ１０１は、ステップＳ１０４の処理を完了すると、データ取得サーバ３００からデータを受信したか否かを判別する（ステップＳ１０５）。具体的には、ＣＰＵ１０１は、無線通信部１０６を監視し、基地局２１０を介して、データ取得サーバ３００から注目地域情報が受信されたか否かを判別する。
【００８２】
ＣＰＵ１０１は、データ取得サーバ３００からデータを受信していないと判別すると（ステップＳ１０５：ＮＯ）、ステップＳ１０５に処理を戻す。一方、ＣＰＵ１０１は、データ取得サーバ３００からデータを受信したと判別すると（ステップＳ１０５：ＹＥＳ）、受信されたデータに基づく情報をユーザに提示する（ステップＳ１０６）。
【００８３】
受信されたデータに基づく情報をユーザに提示する手法は任意である。例えば、受信されたデータが画像データや文字列データである場合、ＣＰＵ１０１は、画像処理部１１２を制御して、受信されたデータにより示される画像信号を生成し、生成された画像信号をタッチスクリーン１１４に供給する。この場合、受信されたデータに基づく情報は、画像情報としてユーザに提示される。一方、受信されたデータが音声データである場合、ＣＰＵ１０１は、音声処理部１０７を制御して、受信されたデータにより示される音声信号を生成し、生成された音声信号をスピーカ１０８に供給する。この場合、受信されたデータに基づく情報は、音声情報としてユーザに提示される。
【００８４】
ＣＰＵ１０１は、ステップＳ１０６の処理を完了すると、ステップＳ１０１に処理を戻す。
【００８５】
ここで、図８と図９とを参照して、受信されたデータに基づく情報がユーザに提示される様子について説明する。
【００８６】
図８は、ステップＳ１０３において画面内に表示される、注目地域を表す地図を示す画像である。ここでは、注目地域には、情報提示装置１００ならびに通信装置１５０が存在し、通信装置１６０が存在しないものとする。また、対応関係データベースには、情報提示装置１００と通信装置１５０とが関連付けられておらず、情報提示装置１００と通信装置１６０とが関連付けられているものとする。この場合、図８に示すように、通信装置１５０が注目地域内に存在していたとしても通信装置１５０に基づく画像は表示されず、通信装置１６０が注目地域内に存在していないために通信装置１６０に関連付けられるデータに基づく画像は画面内に表示されない。なお、画像８０１は、情報提示装置１００が搭載された車両の現在位置ならびに進行方向を示すアイコンである。
【００８７】
ここで、情報提示装置１００が搭載された車両が移動したことにより、注目地域に、情報提示装置１００、通信装置１５０ならびに通信装置１６０が存在することになるものとする。この場合、例えば、図９に示すように、注目地域を表す地図を示す画像に重ねて、通信装置１６０に関連付けられるデータに基づく画像が画面内に表示される。図９は、通信装置１６０から画像データベースにアップロードされた画像データに基づく画像８２１が画面内に表示された例を示す。画像８２１は、画面内において、画像８１１の近傍に表示されているが、画像８０１の近傍に表示されてもよい。また、本実施形態では通信装置１６０のユーザが画像データベースにアップロードした画像データを提示しているが、情報提示装置１００から画像データベースにアップロードされた画像データを画像８０１の近傍に表示し、通信装置１６０から画像データベースにアップロードされた画像データを画像８１１の近傍に表示してもよい。
【００８８】
ここで、画像８１１は、通信装置１６０が搭載された車両の現在位置を示すアイコンである。なお、通信装置１６０は、所定の時間が経過する毎に、現在位置を基地局２２０にアップロードするものとする。この場合、データ取得サーバ３００は、基地局２２０にアクセスすることで、通信装置１６０が搭載された車両の現在位置を取得することができる。一方、情報提示装置１００は、データ取得サーバ３００にアクセスして、通信装置１６０が搭載された車両の現在位置を取得することができる。なお、画像８１１は画面内に表示されなくてもよい。
【００８９】
本実施形態に係る情報提示装置１００によれば、画面内に表示される地図が表す注目地域に存在する、情報提示装置１００と対応付けられている通信装置に関連付けられたデータに基づく情報がユーザに提示される。例えば、情報提示装置１００と、情報提示装置１００のユーザの知り合いのユーザが使用する通信装置１６０と、が対応付けられている場合、情報提示装置１００が搭載された車両と、通信装置１６０が搭載された車両と、が接近した場合、通信装置１６０のユーザが画像データベースにアップロードした画像データが、情報提示装置１００のユーザに提示される。このため、情報提示装置１００のユーザは、自分の知り合いのユーザが近くにいることを知ることができるとともに、当該知り合いのユーザが興味を持っていることなどを予測することができる。
【００９０】
このように、本実施形態に係る情報提示装置１００によれば、画面内に表示される地図が表す注目地域に存在する注目対象に関連する情報がユーザに提示される。従って、本実施形態に係る情報提示装置１００によれば、ユーザに提示されることが望まれることが期待される、情報提示装置１００の近くに存在する注目対象に関連する情報がユーザに提示される。また、ユーザは、通信装置１６０のユーザがアップロードした情報を提示することができるため、情報提示装置１００には登録されていない新たな情報を取得することも可能となる。
【００９１】
（第２の実施形態）
第１の実施形態では、注目対象が情報提示装置１００に対応付けられている通信装置である例について説明した。しかし、注目対象はこれに限定されない。以下、注目対象が特定のランドマークである例について説明する。なお、第２の実施形態に係る情報提示装置１００は、基本的には、第１の実施形態に係る情報提示装置１００と同様の構成である。従って、以下の説明では、第１の実施形態と異なる部分を中心に説明する。
【００９２】
まず、図４を参照して、本実施形態に係る情報提示装置１００の基本的な機能について説明する。図４に示すように、情報提示装置１００は、機能的には、現在位置検出部１１、注目地域決定部１２、地図表示部１３、データ取得部１４、情報提示部１５、現在時刻取得部１６を備える。
【００９３】
現在位置検出部１１、注目地域決定部１２、地図表示部１３、情報提示部１５の機能及び構成は、第１の実施形態に係る機能及び構成と同様である。
【００９４】
データ取得部１４は、決定された注目地域に存在する注目対象に関連付けられるデータを取得する。本実施形態では、注目対象が特定のランドマークである例について説明する。データ取得部１４は、例えば、ＣＰＵ１０１と無線通信部１０６とにより構成される。
【００９５】
現在時刻取得部１６は、現在時刻を取得する。現在時刻取得部１６は、例えば、ＲＴＣ１１５により構成される。ここで、データ取得部１４は、注目対象に関連付けられているデータのうち、取得された現在時刻に関連付けられているデータを取得することができる。データベースに登録されているデータが、取得された現在時刻に関連付けられているデータであるか否かを判別するための手法は任意である。例えば、データベースサーバ４００は、データベースにデータを登録する際に、当該データと時間帯を示すデータとを対応付けてデータベースに登録し、データベースサーバ４００がデータベースを検索する際に、注目対象に関連付けられているデータのうち、データに対応付けられている時間帯が取得された現在時刻を含むデータを抽出する。
【００９６】
次に、図５を参照して、本実施形態に係るデータ取得サーバ３００の基本的な機能について説明する。図５に示すように、データ取得サーバ３００は、機能的には、受信部３１、取得部３２、送信部３３を備える。
【００９７】
受信部３１、送信部３３の機能及び構成は、第１の実施形態に係る機能及び構成と同様である。
【００９８】
取得部３２は、受信された情報により示される注目地域内に存在する注目対象に関連付けられるデータを取得する。本実施形態では、注目対象が特定のランドマークである例について説明する。
【００９９】
特定のランドマークは、例えば、特定のジャンルに属するランドマークである。ランドマークが特定のジャンルに属するランドマークであるか否かを判別する手法は任意である。例えば、ランドマークとジャンルとを対応付ける情報を含む地図情報がハードディスク３０５に記憶されいる場合、取得部３２は、当該地図情報に基づいて、ランドマークが特定のジャンルに属するランドマークであるか否かを判別することができる。なお、ランドマークのジャンルは、あらかじめ定められていても良いし、操作部１１０やタッチスクリーン１１４などによりユーザから受け付けられるようにしてもよい。ユーザから受け付けられたジャンル情報は、適宜、情報提示装置１００からデータ取得サーバ３００に供給される。
【０１００】
また、ランドマークが、注目地域内に存在するか否かを判別する手法は任意である。例えば、ランドマークと当該ランドマークの位置（緯度および経度）とを対応付ける情報を含む地図情報がハードディスク３０５に記憶されている場合、取得部３２は、当該地図情報に基づいて、ランドマークが注目地域内に存在するか否かを判別することができる。なお、取得部３２は、適宜、ハードディスク１１１に記憶されている地図情報や、データベースサーバ４００が備えるハードディスクに記憶されている地図情報を参照することができる。
【０１０１】
さらに、データが、ランドマークに関連付けられているか否かを判別する手法は任意である。例えば、取得部３２は、ランドマークを検索キーとして、データベースサーバ４００にデータベースを検索させることにより、ランドマークに関連付けられているデータを取得することができる。つまり、ランドマークを検索キーとして画像データベースが検索されるとランドマークに関連付けられている画像データが抽出され、ランドマークを検索キーとして音声データベースが検索されるとランドマークに関連付けられている音声データが抽出され、ランドマークを検索キーとして文字列データベースが検索されるとランドマークに関連付けられている文字列データが抽出される。取得部３２は、例えば、ＣＰＵ３０１とＮＩＣ３０４とにより構成される。
【０１０２】
ここで、データが、現在時刻に関連付けられているか否かを判別する手法は任意である。例えば、取得部３２は、現在時刻を検索キーとして、データベースサーバ４００にデータベースを検索させることにより、現在時刻に関連付けられているデータを取得することができる。なお、現在時刻に関連付けられているデータは、例えば、現在時刻を含む時間帯に関連付けられているデータであってもよい。また、現在時刻を取得する手法は任意である。例えば、データ取得サーバ３００が、ＲＴＣ１１５から構成される現在時刻取得部１６を備えていてもよい。あるいは、情報提示装置１００からデータ取得サーバ３００に現在時刻が供給されてもよい。
【０１０３】
本実施形態に係る情報提示装置１００が実行する情報提示処理は、図６に示す第１の実施形態に係る情報提示処理と同様である。なお、情報提示装置１００は、電源が投入されている間、情報提示処理を実行する。また、本実施形態に係るデータ取得サーバ３００が実行するデータ取得処理は、図７に示す第１の実施形態に係るデータ取得処理と同様である。なお、データ取得サーバ３００は、電源が投入されている間、データ取得処理を実行する。
【０１０４】
ここで、本実施形態では、注目対象は、特定のジャンルのランドマークである。従って、ステップＳ２０２において、まず、ＣＰＵ３０１は、地図情報を参照して、注目地域内に存在しているランドマークのうち、特定のジャンルのランドマークを特定する。そして、ＣＰＵ３０１は、データベースサーバ４００に、特定されたランドマークを検索キーとして画像データベース、音声データベースならびに文字列データベースを検索させて、注目地域内に存在していると判別された特定のジャンルのランドマークに関連付けられている、画像データ、音声データならびに文字列データを取得する。
【０１０５】
次に、図１０を参照して、受信されたデータに基づく情報がユーザに提示される様子について説明する。
【０１０６】
図１０は、ステップＳ１０３において画面内に表示される、注目地域を表す地図を示す画像ならびに特定のランドマークに関連付けられているデータに基づく画像である。ここで、注目地域には、画像８３１により示される塔ならびに画像８３２により示される動物園が存在するものとする。なお、本実施形態では、ランドマークのジャンルは予めユーザによって設定されているものとする。ここで、現在時刻はＰＭ３：００であり、画像８４１を表す画像データに対応付けられた時間帯は全日であり、画像８４２を表す画像データに対応付けられた時間帯はＡＭ９：００〜ＰＭ６：００であるものとする。
【０１０７】
この場合、例えば、図１０に示すように、注目地域を表す地図を示す画像に重ねて、画像８３１により示される塔に関連付けられるデータに基づく画像８４１と、画像８３２により示される動物園に関連付けられるデータに基づく画像８４２と、が画面内に表示される。なお、画像８４１は、塔から見た風景を表す画像を示す画像データに基づいて生成される画像である。一方、画像８４２は、動物園に関する文字列情報を示す文字列データに基づいて生成される画像である。画面内において、画像８４１が画像８３１の近傍に表示され、画像８４２が画像８３２の近傍に表示されてもよい。
【０１０８】
本実施形態に係る情報提示装置１００によれば、画面内に表示される地図が表す注目地域に存在する、特定のジャンルに属するランドマークに関連付けられたデータのうち、現在時刻に対応付けられるデータに基づく情報がユーザに提示される。かかる構成によれば、例えば、データベースサーバ４００に記憶されている膨大な量のデータから、ユーザが所望するジャンルに関する情報であって、現在時刻に提示されることが望まれる情報のみが、ユーザに提示される。従って、本実施形態に係る情報提示装置１００によれば、地図の表示の妨げを抑制しつつ、画面に表示されている地域に関する情報を提示することができる。
【０１０９】
（変形例）
本発明は、上記実施形態に開示したものに限られない。
【０１１０】
例えば、情報提示装置１００が備える構成の一部をデータ取得サーバ３００もしくはデータベースサーバ４００が備えるようにしてもよいし、データ取得サーバ３００が備える構成の一部を情報提示装置１００もしくはデータベースサーバ４００が備えるようにしてもよいし、データベースサーバ４００が備える構成の一部を情報提示装置１００もしくはデータ取得サーバ３００が備えるようにしてもよい。また、情報提示装置１００単体で情報提示処理が完結する場合、情報提示装置１００はデータ取得サーバ３００などにアクセスしなくてもよい。この場合、例えば、注目地域に存在する注目対象に関連付けられるデータがハードディスク１１１に記憶されていることが必要となる。
【０１１１】
また、第１の実施形態に係る情報提示装置１００が実行する処理と、第２の実施形態に係る情報提示装置１００が実行する処理と、を組み合わせた処理が情報提示装置１００により実行されてもよい。
【０１１２】
第１〜２の実施形態においては、画面内において、注目地域を表す地図を示す画像に重ねて、注目地域に存在する注目対象に関連付けられるデータに基づく画像が表示される例を示した。また、図１１に示すように、画面には、注目対象に関連付けられるデータに基づく複数の画像が表示される場合がある。このように、画面内に複数の画像を表示する場合、画面内における別々の領域に、分離して表示されてもよい。ここで、画像８４３及び画像８４４は、注目対象を示す画像８３３に関連付けられるデータに基づく画像である。
【０１１３】
あるいは、図１２に示すように、注目対象に関連付けられるデータに基づく複数の画像が、時分割で、画面内に交互に表示されてもよい。さらに、図１３に示すように、注目地域を表す地図を示す画像と、注目対象に関連付けられるデータに基づく複数の画像の組と、が、時分割で、画面内に交互に表示されてもよい。また、複数の注目対象が存在する場合は、注目対象の近傍にそれぞれの画像を表示するようにしてもよい。また、注目地域に存在する注目対象に関連付けられるデータに基づく画像は、注目対象が注目地域に存在する間、継続して画面内に表示されてもよいし、注目対象が注目地域に入ってから所定の期間だけ画面内に表示されてもよい。
【０１１４】
なお、注目地域は現在位置を含む所定の大きさの地域であり、情報提示装置１００が搭載された車両が存在する場所の周辺の地域であるとしたが、この例に限られない。注目地域決定部１２は、例えば、画面に表示される注目地域に少なくとも１つの注目対象が必ず含まれるように、注目地域の大きさを決定してもよい。
【０１１５】
第１〜２の実施形態においては、注目地域に存在する注目対象に関連付けられる画像データに基づく画像がユーザに提示される例を中心に述べたが、注目地域に存在する注目対象に関連付けられる音声データに基づく音声がユーザに提示されてもよい。
【０１１６】
第１の実施形態では、注目地域内に存在する特定の通信装置からアップロードされたデータに基づく画像が、情報提示装置１００のユーザに提示される例を示したが、提示される画像はこの例に限られない。例えば、注目地域内に存在する特定の通信装置が当該通信装置のユーザに提示している画像が、情報提示装置１００のユーザに提示されてもよい。また、情報提示装置１００によりアップロードされた画像が情報提示装置１００の画面に提示されてもよいことは言うまでもない。
【０１１７】
第１〜２の実施形態では、情報提示装置１００がＣＰＵ１０１とＲＯＭ１０２とＲＡＭ１０３とを備え、ＣＰＵ１０１が、ＲＯＭ１０２に記憶されているプログラムに従って、ソフトウェアにより情報提示処理が実現される例を示した。しかし、情報提示装置１００が実行する情報提示処理は、ソフトウェアにより実現されるものに限定されない。例えば、情報提示装置１００は、マイクロコンピュータ、ＦＰＧＡ（Field Programmable Gate Array）、ＰＬＤ（Programmable Logic Device）、ＤＳＰ（Digital Signal Processor）などにより構成されてもよい。
【０１１８】
なお、本発明に係る情報提示装置は、専用のシステムによらず、通常のコンピュータシステムを用いても実現可能である。例えば、コンピュータに、上記動作を実行するためのプログラムを、フレキシブルディスク、ＣＤ−ＲＯＭ（Compact Disk-Read Only Memory）、ＤＶＤ（Digital Versatile Disk）、ＭＯ（Magnet Optical Disk）などのコンピュータ読み取り可能な記録媒体に記憶して配布し、これをコンピュータシステムにインストールすることにより、上述の処理を実行する情報提示装置を構成しても良い。さらに、インターネット上のサーバ装置が有するディスク装置等にプログラムを記憶しておき、例えば、搬送波に重畳させて、コンピュータにダウンロード等するものとしてもよい。
【符号の説明】
【０１１９】
１１  現在位置検出部
１２  注目地域決定部
１３  地図表示部
１４  データ取得部
１５  情報提示部
１６  現在時刻取得部
３１  受信部
３２  取得部
３３  送信部
１００  情報提示装置
１０１  ＣＰＵ
１０２  ＲＯＭ
１０３  ＲＡＭ
１０４  ＧＰＳモジュール
１０５  アンテナ
１０６  無線通信部
１０７  音声処理部
１０８  スピーカ
１０９  マイクロフォン
１１０  操作部
１１１  ハードディスク
１１２  画像処理部
１１３  タッチ操作検知部
１１４  タッチスクリーン
１１５  ＲＴＣ
１２０  バス
１５０、１６０  通信装置
２１０、２２０  基地局
３００  データ取得サーバ
３０１  ＣＰＵ
３０２  ＲＯＭ
３０３  ＲＡＭ
３０４  ＮＩＣ
３０５  ハードディスク
３２０  バス
４００  データベースサーバ
５００  電気通信網
８０１、８１１、８２１、８３１、８３２、８３３、８４１、８４２、８４３、８４４  画像
１０００  情報提示システム
【図１】
2013032914.tif 000003
【図２】
2013032914.tif 000004
【図３】
2013032914.tif 000005
【図４】
2013032914.tif 000006
【図５】
2013032914.tif 000007
【図６】
2013032914.tif 000008
【図７】
2013032914.tif 000009
【図８】
2013032914.tif 000010
【図９】
2013032914.tif 000011
【図１０】
2013032914.tif 000012
【図１１】
2013032914.tif 000013
【図１２】
2013032914.tif 000014
【図１３】
2013032914.tif 000015